(57)【要約】  放射線画像撮影システムは、ユーザの操作に応じて照射指示信号を出力する照射指示装置と、造影剤が投与された状態の乳房を圧迫板により圧迫し、照射指示信号に応じて第１のエネルギーの放射線Ｒを放射線源から乳房に照射させて放射線検出器により第１放射線画像を生成する第１の撮影、及び第１のエネルギーと異なる第２のエネルギーの放射線Ｒを放射線源から乳房に照射させて放射線検出器により第２放射線画像を生成する第２の撮影を連続して行う造影撮影を行うマンモグラフィ装置と、第１の撮影の開始後、第２の撮影が完了する前に、照射指示信号が停止した場合に、予め定められた警告を表す情報を表示部に表示させる制御を行うコンソールと、を備える、造影撮影における被検者の負担を軽減することができる放射線画像撮影システム、制御装置、制御方法、及び制御プログラムを提供する。
2019022246.tif 000002
【特許請求の範囲】
【請求項１】
ユーザの操作に応じて指示信号を出力する指示部と、
造影剤が投与された状態の乳房を圧迫板により圧迫し、前記指示信号に応じて第１のエネルギーの放射線を放射線源から前記乳房に照射させて放射線検出器により第１放射線画像を生成する第１の撮影、及び前記第１のエネルギーと異なる第２のエネルギーの放射線を前記放射線源から前記乳房に照射させて前記放射線検出器により第２放射線画像を生成する第２の撮影を連続して行う造影撮影を行うマンモグラフィ装置と、
前記第１の撮影の開始後、前記第２の撮影が完了する前に、前記指示信号が停止した場合に、予め定められた警告を表す情報を表示部に表示させる制御を行う制御部と、
を備えた放射線画像撮影システム。
【請求項２】
前記制御部は、前記警告を表す情報を前記表示部に表示させた後、予め定められた時間が経過した後に、前記指示信号の停止が維持されている場合、前記マンモグラフィ装置による前記造影撮影を中断させる、
請求項１に記載の放射線画像撮影システム。
【請求項３】
前記マンモグラフィ装置は、前記造影撮影を中断する場合、前記圧迫板による前記乳房の圧迫を解除する、
請求項２に記載の放射線画像撮影システム。
【請求項４】
前記警告を表す情報は、前記造影撮影を中断させるまでの残り時間を表す情報を含む、
請求項２または請求項３に記載の放射線画像撮影システム。
【請求項５】
前記造影撮影の中断の指示を受け付ける受付部をさらに備え、
前記制御部は、前記受付部が前記中断の指示を受け付けた場合、前記マンモグラフィ装置による前記造影撮影を中断させる、
請求項２から請求項４のいずれか１項に記載の放射線画像撮影システム。
【請求項６】
前記制御部は、前記指示信号が停止した後、前記予め定められた時間が経過する前に前記指示部から前記指示信号が再び出力された場合、前記マンモグラフィ装置による前記造影撮影を継続させる、
請求項２から請求項５のいずれか１項に記載の放射線画像撮影システム。
【請求項７】
前記警告を表す情報は、前記造影撮影を中断することを表す情報を含む、
請求項１から請求項６のいずれか１項に記載の放射線画像撮影システム。
【請求項８】
前記制御部は、前記マンモグラフィ装置による前記造影撮影の開始から完了または中断までの間、前記表示部に、前記造影撮影中であることを表す情報を表示させる、
請求項１から請求項７のいずれか１項に記載の放射線画像撮影システム。
【請求項９】
前記制御部は、前記造影撮影が完了した場合、前記造影撮影の完了を表す情報を前記表示部に表示させる、
請求項１から請求項８のいずれか１項に記載の放射線画像撮影システム。
【請求項１０】
造影剤が投与された状態の乳房を圧迫板により圧迫し、ユーザの操作に応じて指示部から出力された指示信号に応じて第１のエネルギーの放射線を放射線源から前記乳房に照射させて放射線検出器により第１放射線画像を生成する第１の撮影、及び前記第１のエネルギーと異なる第２のエネルギーの放射線を前記放射線源から前記乳房に照射させて前記放射線検出器により第２放射線画像を生成する第２の撮影を連続して行う造影撮影を行うマンモグラフィ装置を制御する制御装置であって、
前記第１の撮影の開始後、前記第２の撮影が完了する前に、前記指示信号が停止したか否かを判定する判定部と、
前記判定部が前記指示信号が停止したと判定した場合に、予め定められた警告を表す情報を表示部に表示させる制御を行う制御部と、
を備えた制御装置。
【請求項１１】
造影剤が投与された状態の乳房を圧迫板により圧迫し、ユーザの操作に応じて指示部から出力された指示信号に応じて第１のエネルギーの放射線を放射線源から前記乳房に照射させて放射線検出器により第１放射線画像を生成する第１の撮影、及び前記第１のエネルギーと異なる第２のエネルギーの放射線を前記放射線源から前記乳房に照射させて前記放射線検出器により第２放射線画像を生成する第２の撮影を連続して行う造影撮影を行うマンモグラフィ装置の制御方法であって、
前記第１の撮影の開始後、前記第２の撮影が完了する前に、前記指示信号が停止したか否かを判定し、
前記指示信号が停止したと判定した場合に、予め定められた警告を表す情報を表示部に表示させる処理を含む、
制御方法。
【請求項１２】
造影剤が投与された状態の乳房を圧迫板により圧迫し、ユーザの操作に応じて指示部から出力された指示信号に応じて第１のエネルギーの放射線を放射線源から前記乳房に照射させて放射線検出器により第１放射線画像を生成する第１の撮影、及び前記第１のエネルギーと異なる第２のエネルギーの放射線を前記放射線源から前記乳房に照射させて前記放射線検出器により第２放射線画像を生成する第２の撮影を連続して行う造影撮影を行うマンモグラフィ装置の制御をコンピュータに実行させるための制御プログラムであって、
前記第１の撮影の開始後、前記第２の撮影が完了する前に、前記指示信号が停止したか否かを判定し、
前記指示信号が停止したと判定した場合に、予め定められた警告を表す情報を表示部に表示させる
処理をコンピュータ実行させるための制御プログラム。
【発明の詳細な説明】
【技術分野】
【０００１】
本発明は、放射線画像撮影システム、制御装置、制御方法、及び制御プログラムに関する。
【背景技術】
【０００２】
放射線源から被検者の乳房に向けて放射線を照射させ、乳房を透過した放射線を放射線検出器により検出することにより放射線画像を撮影するマンモグラフィ装置が知られている。【０００３】
一般的にマンモグラフィ装置は、放射線の照射を指示するためのボタンやスイッチ等の指示部が技師等のユーザによって押されることにより、放射線源から乳房に放射線を照射させて放射線画像の撮影を行う。この種のマンモグラフィ装置では、例えば特開２０１１−１５２１９７号公報に開示されているように、ユーザが指示部から手を離す等により、指示部の押下が解除されると、放射線画像の撮影が中断される。
【発明の概要】
【発明が解決しようとする課題】
【０００４】
ところでマンモグラフィ装置として、造影剤が投与された状態の乳房に第１のエネルギーの放射線を照射させて放射線検出器により第１放射線画像を生成する第１の撮影と、第１のエネルギーと異なる第２のエネルギーの放射線を照射させて放射線検出器により第２放射線画像を生成する第２の撮影とを連続して行う造影撮影を行うマンモグラフィ装置が知られている。【０００５】
このように、連続して複数回の撮影を行う場合、例えば、上記特開２０１１−１５２１９７号公報に記載の技術では、撮影と撮影との間で指示部の押下をユーザが止めてしまうと、撮影全体が完了する前に撮影が中断されてしまう場合がある。上記造影撮影の場合、例えば、第１の撮影と第２の撮影との間で指示部の押下をユーザが止めてしまうと、第２の撮影が完了する前に造影撮影が中断されてしまう場合がある。【０００６】
撮影が途中で中断されると再び撮影を行わねばならず、連続する撮影を最初から全てやり直さねばならない場合もあり、被検者に負担がかかる場合があった。【０００７】
本開示は、上記事情を考慮して成されたもので、造影撮影における被検者の負担を軽減することができる放射線画像撮影システム、制御装置、制御方法、及び制御プログラムを提供する。
【課題を解決するための手段】
【０００８】
本開示の第１の態様の放射線画像撮影システムは、ユーザの操作に応じて指示信号を出力する指示部と、造影剤が投与された状態の乳房を圧迫板により圧迫し、指示信号に応じて第１のエネルギーの放射線を放射線源から乳房に照射させて放射線検出器により第１放射線画像を生成する第１の撮影、及び第１のエネルギーと異なる第２のエネルギーの放射線を放射線源から乳房に照射させて放射線検出器により第２放射線画像を生成する第２の撮影を連続して行う造影撮影を行うマンモグラフィ装置と、第１の撮影の開始後、第２の撮影が完了する前に、指示信号が停止した場合に、予め定められた警告を表す情報を表示部に表示させる制御を行う制御部と、を備える。【０００９】
本開示の第２の態様の放射線画像撮影システムの制御部は、警告を表す情報を表示部に表示させた後、予め定められた時間が経過した後に、指示信号の停止が維持されている場合、マンモグラフィ装置による造影撮影を中断させる。【００１０】
本開示の第３の態様の放射線画像撮影システムのマンモグラフィ装置は、造影撮影を中断する場合、圧迫板による乳房の圧迫を解除する。【００１１】
本開示の第４の態様の放射線画像撮影システムにおける警告を表す情報は、造影撮影を中断させるまでの残り時間を表す情報を含む。【００１２】
本開示の第５の態様の放射線画像撮影システムは、造影撮影の中断の指示を受け付ける受付部をさらに備え、制御部は、受付部が中断の指示を受け付けた場合、マンモグラフィ装置による造影撮影を中断させる。【００１３】
本開示の第６の態様の放射線画像撮影システムの制御部は、指示信号が停止した後、予め定められた時間が経過する前に指示部から指示信号が再び出力された場合、マンモグラフィ装置による造影撮影を継続させる。【００１４】
本開示の第７の態様の放射線画像撮影システムにおける警告を表す情報は、造影撮影を中断することを表す情報を含んでいる。【００１５】
本開示の第８の態様の放射線画像撮影システムの制御部は、マンモグラフィ装置による造影撮影の開始から完了または中断までの間、表示部に、造影撮影中であることを表す情報を表示させる。【００１６】
本開示の第９の態様の放射線画像撮影システムの制御部は、造影撮影が完了した場合、造影撮影の完了を表す情報を表示部に表示させる。【００１７】
本開示の第１０の態様の制御装置は、造影剤が投与された状態の乳房を圧迫板により圧迫し、ユーザの操作に応じて指示部から出力された指示信号に応じて第１のエネルギーの放射線を放射線源から乳房に照射させて放射線検出器により第１放射線画像を生成する第１の撮影、及び第１のエネルギーと異なる第２のエネルギーの放射線を放射線源から乳房に照射させて放射線検出器により第２放射線画像を生成する第２の撮影を連続して行う造影撮影を行うマンモグラフィ装置を制御する制御装置であって、第１の撮影の開始後、第２の撮影が完了する前に、指示信号が停止したか否かを判定する判定部と、判定部が指示信号が停止したと判定した場合に、予め定められた警告を表す情報を表示部に表示させる制御を行う制御部と、を備える【００１８】
本開示の第１１の態様の制御方法は、造影剤が投与された状態の乳房を圧迫板により圧迫し、ユーザの操作に応じて指示部から出力された指示信号に応じて第１のエネルギーの放射線を放射線源から乳房に照射させて放射線検出器により第１放射線画像を生成する第１の撮影、及び第１のエネルギーと異なる第２のエネルギーの放射線を放射線源から乳房に照射させて放射線検出器により第２放射線画像を生成する第２の撮影を連続して行う造影撮影を行うマンモグラフィ装置の制御方法であって、第１の撮影の開始後、第２の撮影が完了する前に、指示信号が停止したか否かを判定し、指示信号が停止したと判定した場合に、予め定められた警告を表す情報を表示部に表示させる処理を含む、制御方法。【００１９】
本開示の第１２の態様の制御プログラムは、造影剤が投与された状態の乳房を圧迫板により圧迫し、ユーザの操作に応じて指示部から出力された指示信号に応じて第１のエネルギーの放射線を放射線源から乳房に照射させて放射線検出器により第１放射線画像を生成する第１の撮影、及び第１のエネルギーと異なる第２のエネルギーの放射線を放射線源から乳房に照射させて放射線検出器により第２放射線画像を生成する第２の撮影を連続して行う造影撮影を行うマンモグラフィ装置の制御をコンピュータに実行させるための制御プログラムであって、第１の撮影の開始後、第２の撮影が完了する前に、指示信号が停止したか否かを判定し、指示信号が停止したと判定した場合に、予め定められた警告を表す情報を表示部に表示させる処理をコンピュータ実行させるための制御プログラム。
本開示の制御装置は、プロセッサを有する制御装置であって、プロセッサが、造影剤が投与された状態の乳房を圧迫板により圧迫し、ユーザの操作に応じて指示部から出力された指示信号に応じて第１のエネルギーの放射線を放射線源から乳房に照射させて放射線検出器により第１放射線画像を生成する第１の撮影、及び第１のエネルギーと異なる第２のエネルギーの放射線を放射線源から乳房に照射させて放射線検出器により第２放射線画像を生成する第２の撮影を連続して行う造影撮影を行うマンモグラフィ装置の制御方法であって、第１の撮影の開始後、第２の撮影が完了する前に、指示信号が停止したか否かを判定し、指示信号が停止したと判定した場合に、予め定められた警告を表す情報を表示部に表示させる。
【発明の効果】
【００２０】
本開示によれば、造影撮影における被検者の負担を軽減することができる。
【図面の簡単な説明】
【００２１】
【図１】第１実施形態の放射線画像撮影システムの全体構成の一例を概略的に表した構成図である。
【図２】第１実施形態のコンソール、マンモグラフィ装置、及び照射指示装置の構成の一例を表したブロック図である。
【図３】第１実施形態のマンモグラフィ装置の全体構成の一例を被検者の胸壁側から見た斜視図である。
【図４】第１実施形態の照射指示装置の形状の一例を表した図である。
【図５】第１実施形態のマンモグラフィ装置で実行される造影撮影処理の流れの一例を表すフローチャートである。
【図６】第１実施形態のコンソールで実行される制御処理の流れの一例を表すフローチャートである。
【図７】第１実施形態における警告を表す情報をコンソールの表示部に表示させた状態の一例を示す図である。
【図８】第１実施形態における警告を表す情報をコンソールの表示部に表示させた状態の他の例を示す図である。
【図９】第１実施形態における造影撮影を中断することを表す情報をコンソールの表示部に表示させた状態の一例を示す図である。
【図１０】第１実施形態における造影撮影の完了を表す情報をコンソールの表示部に表示させた状態の一例を示す図である。
【図１１】第２実施形態のコンソールで実行される制御処理の流れの一例を表すフローチャートである。
【図１２】第１実施形態における造影撮影の実行中であることを表す情報をコンソールの表示部に表示させた状態の一例を示す図である。
【図１３】第３実施形態のコンソールで実行される制御処理の流れの一例を表すフローチャートである。
【図１４】第３実施形態における警告を表す情報をコンソールの表示部に表示させた状態の一例を示す図である。
【発明を実施するための形態】
【００２２】
以下、図面を参照して本発明の実施形態を詳細に説明する。なお、本実施形態は本発明を限定するものではない。
【００２３】
［第１実施の形態］
まず、本実施形態の放射線画像撮影システムの全体の構成の一例について説明する。図１には、本実施形態の放射線画像撮影システム１の全体の構成の一例を表す構成図を示す。
【００２４】
本実施形態の放射線画像撮影システム１は、コンソール６を介して外部のシステム（例えば、ＲＩＳ：Radiology Information System）から入力された指示（撮影オーダ）に基づいて、医師や放射線技師等のユーザの操作により放射線画像の撮影を行う機能を有している。
【００２５】
図１に示すように、本実施形態の放射線画像撮影システム１は、コンソール６、マンモグラフィ装置１０、及び照射指示装置５０を備えている。図２には、本実施形態のコンソール６、マンモグラフィ装置１０、及び照射指示装置５０の構成の一例を表すブロック図を示す。
【００２６】
本実施形態のマンモグラフィ装置１０は、被検者の乳房に放射線Ｒ（例えば、Ｘ線）を照射して乳房の放射線画像を撮影する装置である。なお、マンモグラフィ装置１０は、被検者が起立している状態（立位状態）のみならず、被検者が椅子（車椅子を含む）等に座った状態（座位状態）において、被検者の乳房を撮影する装置であってもよく、少なくとも被検者の乳房の放射線画像が撮影可能な装置であればよい。
【００２７】
さらに、本実施形態のマンモグラフィ装置１０は、被検者の乳房に造影剤が投与された状態で撮影を行う、いわゆる造影撮影を行う機能として、エネルギーサブトラクション撮影により造影撮影を行う、ＣＥＤＭ（Contrast Enhanced Digital Mammography）機能を有している。
【００２８】
図２に示すように、本実施形態のマンモグラフィ装置１０は、放射線検出器１１、圧迫板２０を駆動する圧迫板駆動部２１、放射線源２９を有する放射線照射部２８、制御部６０、記憶部６２、Ｉ／Ｆ（Interface)部６４、及び操作パネル６６を備える。放射線検出器１１、圧迫板駆動部２１、放射線照射部２８、制御部６０、記憶部６２、Ｉ／Ｆ部６４、及び操作パネル６６は、システムバスやコントロールバス等のバス６９を介して相互に各種情報の授受が可能に接続されている。
【００２９】
本実施形態の制御部６０は、コンソール６の制御（指示）に応じて、マンモグラフィ装置１０の全体の動作を制御する。制御部６０は、ＣＰＵ（Central Processing Unit）６０Ａ、ＲＯＭ（Read Only Memory）６０Ｂ、及びＲＡＭ（Random Access Memory）６０Ｃを備える。ＲＯＭ６０Ｂには、ＣＰＵ６０Ａで実行される、後述する造影撮影処理プログラムを含む各種のプログラム等が予め記憶されている。ＲＡＭ６０Ｃは、各種データを一時的に記憶する。
【００３０】
記憶部６２には、放射線検出器１１により撮影された放射線画像の画像データや、その他の各種情報等が記憶される。記憶部６２の具体例としては、ＨＤＤ（Hard Disk Drive）やＳＳＤ（Solid State Drive）等が挙げられる。Ｉ／Ｆ部６４は、無線通信または有線通信により、コンソール６との間で各種情報の通信を行う。操作パネル６６は、例えば、マンモグラフィ装置１０の撮影台１６に複数のスイッチとして設けられている。なお、操作パネル６６は、タッチパネルとして設けられてもよい。
【００３１】
また、図３には、本実施形態のマンモグラフィ装置１０の全体の構成の一例を表す構成図を示す。以下では、放射線画像の撮影においてマンモグラフィ装置１０に被検者が対面した場合の被検者に近い側（胸壁側）をマンモグラフィ装置１０の装置前方側とし、被検者から離れた側をマンモグラフィ装置１０の装置後方側として説明する。また、マンモグラフィ装置１０に被検者が対面した場合の被検者の左右方向をマンモグラフィ装置１０の装置左右方向として説明する。さらに、マンモグラフィ装置１０に被検者が対面した場合の被検者の頭の方向を上側、かつ足の方向を下側とした上下方向として説明する。
【００３２】
マンモグラフィ装置１０は、図３に示すように、装置前方側に設けられた側面視略Ｃ字状の撮影部１２と、撮影部１２を装置後方側から支える基台部１４と、を備える。
【００３３】
撮影部１２は、被検者の乳房と接する平面状の撮影面２４を有する撮影台１６と、乳房を撮影台１６の撮影面２４との間に挟んで圧迫するための圧迫板２０と、撮影台１６及び圧迫板２０を支持する保持部１８と、を備える。なお、圧迫板２０には、放射線Ｒを透過する部材が用いられる。また、撮影部１２は、放射線源２９を支持する支持部２２と、放射線照射部２８と、を備えており、支持部２２は、保持部１８から分離される。
【００３４】
図３に示すように、本実施形態のマンモグラフィ装置１０の放射線照射部２８の内部には、乳房に対して放射線Ｒを照射する管球（本実施形態では一例としてタングステン）を備えた放射線源２９が設けられている。また、放射線照射部２８の内部には、放射線源２９と撮影台１６との間に、Ｒｈ（ロジウム）フィルタ４２、及びＣｕ（銅）フィルタ４４が備えられている。なお、図３では、Ｒｈフィルタ４２及びＣｕフィルタ４４を一体化して図示しているが、各フィルタは、各々別個のフィルタとして設けられている。
【００３５】
なお、マンモグラフィ装置１０が備えるフィルタは、Ｒｈフィルタ４２及びＣｕフィルタ４４に限定されない。例えば、Ｒｈフィルタ４２に替わり、またはＲｈフィルタ４２に加えてＭｏ（モリブデン）フィルタを備えていてもよい。また例えば、Ａｌ（アルミニウム）フィルタは、Ｒｈフィルタ４２に比べて放射線Ｒの減衰率が低いため、放射線源２９を連続的に移動させた状態で各撮影位置での撮影時間（放射線Ｒの照射時間）が短い撮影を行うトモシンセシス撮影に適している。そのため、マンモグラフィ装置１０がトモシンセシス撮影を行う機能を有する場合は、Ａｌフィルタを備え、Ａｌフィルタを用いてトモシンセシス撮影を行ってもよい。
【００３６】
さらに、放射線照射部２８の内部には、図示を省略した移動部が設けられており、放射線画像の撮影を行う場合に、照射する放射線Ｒのエネルギーに応じて、Ｒｈフィルタ４２またはＣｕフィルタ４４を照射野内の位置に移動させる。
【００３７】
一方、本実施形態の撮影部１２には軸（図示省略）が設けられており、撮影部１２が基台部１４に対して回転することが可能である。この軸は、支持部２２に対して固定されており、軸と支持部２２とが一体となって回転する。撮影部１２に設けられた軸及び保持部１８にそれぞれギヤが設けられ、このギヤ同士の噛合状態及び非噛合状態を切替えることにより、保持部１８と軸とが連結されて一体に回転する状態と、軸が保持部１８と分離されて空転する状態とに切り替えることができる。なお、軸の動力の伝達及び非伝達の切り替えは、上記ギヤに限らず、種々の機械要素を用いることができる。
【００３８】
保持部１８は、撮影面２４と放射線源２９とを予め定められた間隔離して撮影台１６と放射線源２９とを支持する。また、保持部１８は、支持アーム２６を介して圧迫板２０も保持しており、圧迫板駆動部２１(図３参照）が保持部１８の支持アーム２６をスライド移動することにより圧迫板２０が移動し、圧迫板２０と撮影面２４との間隔が変化する。
【００３９】
被検者の乳房が接する撮影面２４は、放射線透過性や強度の観点から、例えば、カーボンで形成されている。撮影台１６の内部には、乳房及び撮影面２４を通過した放射線Ｒを検出する放射線検出器１１が配置されている。放射線検出器１１が検出した放射線Ｒに基づいて放射線画像が生成される。放射線検出器１１の種類は、特に限定されず、例えば、放射線Ｒを光に変換し、変換した光を電荷に変換する間接変換方式の放射線検出器であってもよいし、放射線Ｒを直接電荷に変換する直接変換方式の放射線検出器であってもよい。本実施形態では、マンモグラフィ装置１０の放射線検出器１１から出力された放射線画像を表す画像データは、コンソール６に送信される。
【００４０】
上述したように、本実施形態のマンモグラフィ装置１０は、造影撮影を行う機能を有している。造影撮影に用いられる造影剤としては、ｋ吸収端が３３ｋｅＶのヨードを用いた造影剤（以下、単に「造影剤」という）が一般的に用いられる。マンモグラフィ装置１０は、造影剤が投与された乳房を被写体として、造影剤のｋ吸収端よりも低い第１のエネルギーの放射線Ｒを照射させて放射線検出器１１により第１放射線画像を撮影し、また造影剤のｋ吸収端よりも高い第２のエネルギーの放射線Ｒを照射させて放射線検出器１１により第２放射線画像を撮影する。具体的な第１のエネルギー及び第２のエネルギーは、造影剤のｋ吸収端に加え、さらにマンモグラフィ装置１０の仕様、所望とする放射線画像の画質、及び被検者の被曝の観点等から定められ、一般的に、２２ｋｅＶ〜４９ｋｅＶであることが好ましい。
【００４１】
なお、本実施形態のマンモグラフィ装置１０において、第１のエネルギーの放射線Ｒを照射するとは、第１のエネルギーに応じた管電圧を印加させて放射線源２９から放射線Ｒを照射することをいい、同様に、第２のエネルギーの放射線Ｒを照射するとは、第２のエネルギーに応じた管電圧を印加させて放射線源２９から放射線Ｒを照射することをいう。
【００４２】
なお、本実施形態のマンモグラフィ装置１０において、上記第１のエネルギーは、通常の（一般的な）撮影に用いられる放射線Ｒのエネルギーと同様である。マンモグラフィ装置１０では、第１のエネルギーの放射線Ｒを照射させて撮影（以下、「ＬＥ撮影」という）を行う場合、Ｒｈフィルタ４２を照射野内に配置する。Ｒｈのｋ吸収端は２３．２ｋｅＶであるため、被写体に照射される放射線Ｒの線質は、２３．２ｋｅＶ以上のエネルギー成分が抑制された線質となる。本実施形態のＬＥ撮影が本開示の第１の撮影の一例である。
【００４３】
また、本実施形態のマンモグラフィ装置１０では、上記第２のエネルギーを４５ｋｅＶ〜４９ｋｅＶの範囲内のいずれかとしている。マンモグラフィ装置１０では、第２のエネルギーの放射線Ｒを照射させて撮影（以下、「ＨＥ撮影」という）を行う場合、Ｃｕフィルタ４４を照射野内に配置する。Ｃｕのｋ吸収端は９．０ｋｅＶである。本実施形態のＨＥ撮影が本開示の第２の撮影の一例である。
【００４４】
第１の撮影により撮影された第１放射線画像及び第２の撮影により撮影された第２放射線画像は、コンソール６に出力される。
【００４５】
本実施形態のコンソール６は、無線通信ＬＡＮ（Local Area Network）等を介して外部システム等から取得した撮影オーダや各種情報、及び照射指示装置５０から出力された指示信号等を用いて、マンモグラフィ装置１０の制御を行う機能を有している。
【００４６】
本実施形態のコンソール６は、一例として、サーバーコンピュータである。図２に示すように、コンソール６は、制御部７０、記憶部７２、Ｉ／Ｆ部７４、表示部駆動部７６、表示部７８、操作入力検出部８０、及び操作部８２を備えている。制御部７０、記憶部７２、Ｉ／Ｆ部７４、表示部駆動部７６、及び操作入力検出部８０はシステムバスやコントロールバス等のバス８３を介して相互に各種情報の授受が可能に接続されている。なお、本実施形態のコンソール６が、本開示の制御装置の一例である。
【００４７】
本実施形態の制御部７０は、コンソール６の全体の動作を制御する。制御部７０は、ＣＰＵ７０Ａ、ＲＯＭ７０Ｂ、及びＲＡＭ７０Ｃを備える。ＲＯＭ７０Ｂには、ＣＰＵ７０Ａで実行される、後述する制御処理プログラムを含む各種のプログラム等が予め記憶されている。ＲＡＭ７０Ｃは、各種データを一時的に記憶する。
【００４８】
記憶部７２には、マンモグラフィ装置１０で撮影された放射線画像の画像データや、その他の各種情報等が記憶される。記憶部７２の具体例としては、ＨＤＤやＳＳＤ等が挙げられる。
【００４９】
表示部７８は、各種情報を表示する。表示部駆動部７６は、表示部７８への各種情報の表示を制御する。操作部８２は、放射線Ｒの曝射指示を含む放射線画像の撮影等に関する指示や各種情報等をユーザが入力するために用いられる。操作部８２は特に限定されるものではなく、例えば、各種スイッチ、タッチパネル、タッチペン、及びマウス等が挙げられる。なお、操作部８２と表示部７８とを一体化してタッチパネルディスプレイとしてもよい。操作入力検出部８０は、操作部８２に対する操作状態を検出する。
【００５０】
Ｉ／Ｆ部７４は、無線通信または有線通信により、マンモグラフィ装置１０やＲＩＳ等の外部のシステムとの間で各種情報の通信を行う。
【００５１】
また、コンソール６は、Ｉ／Ｆ部７４を介して無線通信または有線通信により、照射指示装置５０のＩ／Ｆ部５４から照射指示信号が入力される。
【００５２】
照射指示装置５０は、ボタン５２及びＩ／Ｆ部５４を備えている。なお、照射指示装置５０の形状等は特に限定されないが、本実施形態では、図４に示した一例のように、ユーザが把持する把持部５６の一端にボタン５２が設けられた形状としている。ユーザが放射線Ｒの照射を指示する場合、ボタン５２が押下され、ボタン５２が押下されると、Ｉ／Ｆ部５４を介して照射指示信号がコンソール６に出力される。なお、本実施形態の照射指示装置５０が本開示の指示部の一例であり、本実施形態の照射指示信号が本開示の指示信号の一例である。
【００５３】
また、本実施形態のコンソール６は、Ｉ／Ｆ部７４を介して無線通信または有線通信により、マンモグラフィ装置１０から、第１放射線画像及び第２放射線画像各々の画像データを受信する。
【００５４】
コンソール６は、第１放射線画像及び第２放射線画像各々の画像データから、造影剤の濃度分布を計算し、造影剤を強調した差分画像を生成する。具体的には、本実施形態のコンソール６の制御部７０は、第１放射線画像の画像データ（各画素値）に、予め定められた第１の係数を乗算して得られた画像データを、第２放射線画像の画像データ（各画素値）に、予め定められた第２の係数を乗算して得られた画像データから対応する画素毎に減算することにより、人体構造が抑制され、投与された造影剤が強調された差分画像の画像データを生成する。なお、制御部７０が差分画像を生成する方法はこれに限定されず、公知の差分画像の生成方法を用いることが可能である。
【００５５】
次に、本実施形態の放射線画像撮影システム１の作用について図面を参照して説明する。まず、本実施形態のマンモグラフィ装置１０において造影撮影を行う場合の造影撮影処理について説明する。
【００５６】
マンモグラフィ装置１０では、コンソール６から受信した撮影オーダに造影撮影を行う旨の指示が含まれていた場合に、造影撮影処理を実行する。図５には、本実施形態のマンモグラフィ装置１０の制御部６０によって実行される造影撮影処理の流れの一例を表したフローチャートが示されている。本実施形態のマンモグラフィ装置１０では、制御部６０のＣＰＵ６０ＡがＲＯＭ６０Ｂに記憶されている造影撮影プログラムを実行することにより、図５に示した造影撮影処理を実行する。
【００５７】
ステップＳ１００で制御部６０は、乳房の圧迫を開始するか否かを判定する。本実施形態の放射線画像撮影システム１では、造影撮影を行う場合、ユーザは、まず、マンモグラフィ装置１０の撮影台１６の撮影面２４上に被検者の造影剤が投与された状態の乳房をポジショニングし、ポジショニングが完了すると、圧迫板２０により撮影台１６と圧迫板２０との間で乳房を圧迫することにより固定するために、操作パネル６６により、乳房への圧迫の開始を指示する。
【００５８】
操作パネル６６により圧迫の開始が指示されるまでステップＳ１００の判定が否定判定となり、ステップＳ１０８へ移行する。一方、操作パネル６６により圧迫の開始が指示されるとステップＳ１００の判定が肯定判定となり、ステップＳ１０２へ移行する。
【００５９】
ステップＳ１０２で制御部６０は、圧迫板駆動部２１により圧迫板２０を、撮影面２４に近付く方向への移動を開始させる。
【００６０】
次のステップＳ１０４で制御部６０は、圧迫を停止するか否かを判定する。本実施形態では、ユーザは、圧迫板２０の移動を停止させたい場合、操作パネル６６により、圧迫板２０の移動の停止を指示する。操作パネル６６により圧迫板２０の移動の停止が指示されるまでステップＳ１０４の判定が否定判定となり圧迫板２０の移動を継続する。一方、操作パネル６６により圧迫板２０の移動の停止が指示されるとステップＳ１０４の判定が肯定判定となり、ステップＳ１０６へ移行する。
【００６１】
ステップＳ１０６で制御部６０は、圧迫板駆動部２１による圧迫板２０の移動を停止する。
【００６２】
次のステップＳ１０８で制御部６０は、照射開始が指示されたか否かを判定する。本実施形態では、上述したように、ユーザにより照射指示装置５０のボタン５２が押されることにより放射線Ｒの照射を指示する照射指示信号が照射指示装置５０から出力される。照射指示信号は、コンソール６を介してマンモグラフィ装置１０に入力される。照射指示信号が入力されるまでステップＳ１０８の判定が否定判定となり、照射指示信号が入力されるとステップＳ１０８の判定が肯定判定となり、ステップＳ１１０へ移行する。
【００６３】
ステップＳ１１０で制御部６０は、放射線源２９から第１のエネルギーの放射線Ｒを照射させて、ＬＥ撮影を行う。なお、制御部６０は、照射野内に位置するフィルタが、Ｒｈフィルタ４２ではない（Ｃｕフィルタ４４である）場合、Ｒｈフィルタ４２及びＣｕフィルタ４４を移動させて、Ｒｈフィルタ４２を照射野内に位置させる。
【００６４】
ＬＥ撮影により放射線検出器１１によって生成された放射線画像は、マンモグラフィ装置１０からコンソール６に出力される。以下では、ＬＥ撮影により撮影された放射線画像を「第１放射線画像」という。
【００６５】
次のステップＳ１１２で制御部６０は、詳細を後述する造影撮影の中断を指示するための中断指示信号がコンソール６から入力されたか否かを判定する。中断指示信号が入力されない場合、ステップＳ１１２の判定が否定判定となり、ステップＳ１１４へ移行する。
【００６６】
ステップＳ１１４で制御部６０は、放射線源２９から第２のエネルギーの放射線Ｒを照射させて、ＨＥ撮影を行った後、ステップＳ１１６へ移行する。なお、制御部６０は、Ｒｈフィルタ４２及びＣｕフィルタ４４を移動させて、照射野内に位置するフィルタをＲｈフィルタ４２からＣｕフィルタ４４に変更した後、放射線Ｒを照射する。
【００６７】
ＨＥ撮影により放射線検出器１１によって生成された放射線画像は、マンモグラフィ装置１０からコンソール６に出力される。以下では、ＨＥ撮影により撮影された放射線画像を「第２放射線画像」という。
【００６８】
一方、中断指示信号が入力された場合、上記ステップＳ１１２の判定が肯定判定となり、ステップＳ１１６へ移行する。
【００６９】
ステップＳ１１６で制御部６０は、圧迫板駆動部２１により圧迫板２０を撮影面２４から離れる方向に移動させることにより圧迫板２０による乳房の圧迫を解除した後、本造影撮影を終了する。
【００７０】
次に、本実施形態のコンソール６において造影撮影を行う場合の制御処理について説明する。
【００７１】
コンソール６では、ＲＩＳから受信した撮影オーダに造影撮影を行う旨の指示が含まれていた場合、受信した撮影オーダをマンモグラフィ装置１０に送信し、また、図６に一例を示した制御処理を実行する。図６には、本実施形態のコンソール６の制御部７０によって実行される制御処理の流れの一例を表したフローチャートが示されている。本実施形態のコンソール６では、制御部７０のＣＰＵ７０ＡがＲＯＭ７０Ｂに記憶されている制御処理プログラムを実行することにより、図６に示した制御処理を実行し、本開示の制御部及び判定部の一例として機能する。
【００７２】
ステップＳ２００で制御部７０は、照射指示装置５０から照射指示信号が入力されたか否かを判定する。照射指示信号が入力されるまでステップＳ２００の判定が否定判定となり、一方、照射指示信号が入力されるとステップＳ２００の判定が肯定判定となり、ステップＳ２０２へ移行する。
【００７３】
ステップＳ２０２で制御部７０は、照射指示信号をマンモグラフィ装置１０に出力する。
【００７４】
次のステップＳ２０４で制御部７０は、照射指示装置５０から入力される照射指示信号が停止したか否かを判定する。照射指示信号が停止した場合、ステップＳ２０４の判定が肯定判定となり、ステップＳ２０６へ移行する。本実施形態の放射線画像撮影システム１では、ユーザが照射指示装置５０のボタン５２を離すと照射指示装置５０から出力していた照射指示信号が停止する。コンソール６は、マンモグラフィ装置１０が造影撮影を行っている最中に照射指示装置５０から出力される照射指示信号が停止した場合、予め定められた時間の経過後に、マンモグラフィ装置１０による造影撮影を中断させる。
【００７５】
ステップＳ２０６で制御部７０は、造影撮影の完了前に造影撮影を中断することへの警告を表す情報を表示部７８に表示させる。図７には表示部７８に表示された上記警告を表す情報の表示の一例を示す。また、図８には表示部７８に表示された上記警告を表す情報の表示の他の例を示す。図７及び図８に示した例では、警告を表す情報１００の他、造影撮影の中断までの残り時間を表す情報１０２及び中断せず造影撮影を継続する場合の対応方法を表す情報１０４も表示部７８に表示させた状態を示している。情報１０２は、造影撮影を中断するまでの残り時間、具体的には照射指示信号が停止してから造影撮影が中断される予め定められた時間に達するまでの残り時間を表している。
【００７６】
また、情報１０４を確認したユーザは、造影撮影を中断しない場合、照射指示装置５０のボタン５２を再び押下する。この場合、照射指示信号が再び照射指示装置５０からコンソール６に入力される。一方、ユーザは、造影撮影を中断する場合、そのまま照射指示装置５０のボタン５２を押下せずに離したままとする。この場合、照射指示信号は停止したままとなる。
【００７７】
次のステップＳ２０８で制御部７０は、照射指示信号が入力されたか否かを判定する。照射指示信号が入力された場合、ステップＳ２０８の判定が肯定判定となり、ステップＳ２１６へ移行する。一方、照射指示信号が入力されない場合、ステップＳ２０８の判定が肯定判定となり、ステップＳ２１０へ移行する。
【００７８】
ステップＳ２１０で制御部７０は、予め定められた時間が経過したか否かを判定する。本実施形態において予め定められた時間とは、ユーザが照射指示装置５０のボタン５２を離してから、コンソール６の表示部７８に表示されている警告を表す情報１０４を確認した後、再びユーザが照射指示装置５０のボタン５２を押下するまでの時間や、マンモグラフィ装置１０におけるＬＥ撮影とＨＥ撮影との間隔等に応じて定めておくことができる。
【００７９】
予め定められた時間が経過していない場合、ステップＳ２１０の判定が否定判定となり、ステップＳ２０８に戻る。一方、予め定められた時間が経過した場合、ステップＳ２１０の判定が肯定判定となり、ステップＳ２１２へ移行する。
【００８０】
ステップＳ２１２で制御部７０は、造影撮影を中断することを表す情報を表示部７８に表示させる。図９には、造影撮影を中断することを表す情報１０６を表示部７８に表示させた状態の一例を示す。
【００８１】
次のステップＳ２１４で制御部７０は、造影撮影を中断させるための中断指示信号をマンモグラフィ装置１０に出力した後、本制御処理を終了する。中断指示信号がコンソール６から入力されたマンモグラフィ装置１０では、上述したように造影撮影を中断し、圧迫板２０を移動させて乳房の圧迫を解除する。
【００８２】
一方、照射指示信号が停止しない場合、ステップＳ２０４の判定が否定判定となり、ステップＳ２１６へ移行する。ステップＳ２１６で制御部７０は、造影撮影が完了したか否かを判定する。本実施形態の制御部７０は、マンモグラフィ装置１０が第２の撮影において撮影した第２放射線画像の画像データがマンモグラフィ装置１０から入力された場合、造影撮影が完了したとみなす。そのため、第２放射線画像の画像データが入力されるまでステップＳ２１６の判定が否定判定となり、ステップＳ２０４に戻る。一方、第２放射線画像の画像データが入力されるとステップＳ２１６の判定が肯定判定となり、ステップＳ２１８へ移行する。
【００８３】
ステップＳ２１８で制御部７０は、造影撮影の完了を表す情報を表示部７８に表示させた後、本制御処理を終了する。図１０には、造影撮影の完了を表す情報１０８を表示部７８に表示させた状態の一例を示す。造影撮影が完了すると、ユーザは、照射指示装置５０のボタン５２の押下を止める。本実施形態の放射線画像撮影システム１では、造影撮影の完了を表す情報１０８がコンソール６の表示部７８に表示されたタイミングを、照射指示装置５０のボタン５２の押下を止めるタイミングとすることができるため、ユーザはボタン５２の押下を止めるタイミングを認識しやすくなる。
【００８４】
このように、本実施形態の放射線画像撮影システム１では、ユーザによりボタン５２が押下されている期間、照射指示装置５０が照射指示信号を出力する。コンソール６は、照射指示信号が入力さるとマンモグラフィ装置１０に造影撮影を開始させる。造影撮影の実行中に照射指示信号が停止した場合、コンソール６は造影撮影が中断されることへの警告を表す情報１００を表示部７８に表示させる。そして、コンソール６は、照射指示信号が停止してから予め定められた時間が経過する前に、再び照射指示信号が入力された場合、マンモグラフィ装置１０による造影撮影をそのまま継続させる。一方、コンソール６は、照射指示信号が停止してから予め定められた時間が経過しても照射指示信号が停止したままの場合、マンモグラフィ装置１０による造影撮影を中断させる。
【００８５】
本実施形態の放射線画像撮影システム１では、上記のように造影撮影の実行中に照射指示信号が停止した場合、コンソール６が造影撮影が中断されることへの警告を表す情報１００を表示部７８に表示させるため、誤って、照射指示装置５０のボタン５２の押下をユーザが止めた場合でも、造影撮影を中断させることなく継続させることができる。
【００８６】
［第２実施形態］
以下、第２実施形態について詳細に説明する。
放射線画像撮影システム１の全体構成と、コンソール６、マンモグラフィ装置１０、及び照射指示装置５０各々の構成とは、第１実施形態と同様であるため、説明を省略する。また、マンモグラフィ装置１０の制御部６０が実行する造影撮影処理も第１実施形態のマンモグラフィ装置１０の制御部６０が実行する造影撮影処理（図５参照）と同様であるため説明を省略する。本実施形態では、コンソール６の制御部７０が実行する制御処理の一部の処理が第１実施形態のコンソール６の制御部７０が実行する制御処理（図６参照）と異なるため、異なる処理について説明する。
【００８７】
図１１には、本実施形態のコンソール６の制御部７０によって実行される制御処理の流れの一例を表したフローチャートが示されている。図１１に示した制御処理は、ステップＳ２０２の後、ステップＳ２０４の前にステップＳ２０３の処理を実行する点、ステップＳ２１６で肯定判定となった場合にステップＳ２１８の前にステップＳ２１７の処理を実行する点、及びステップＳ２１０で肯定判定となった場合にステップＳ２１２の前にステップＳ２１１の処理を実行する点で第１実施形態の制御処理（図６参照）と異なっている。
【００８８】
図１１に示すようにステップＳ２０３で制御部７０は、造影撮影の実行中であることを表す情報を表示部７８に表示させる。図１２には、造影撮影の実行中であることを表す情報１１０を表示部７８に表示させた状態の一例を示す。上述したようにステップＳ２０２の処理により照射指示信号をマンモグラフィ装置１０に出力することにより、マンモグラフィ装置１０では、造影撮影が開始される。そこで、コンソール６は、造影撮影の実行中であることを表す情報１１０を表示部７８に表示させる。
【００８９】
また、図１１に示すようにステップＳ２１１で制御部７０は、上記ステップＳ２０３で表示部７８に表示させた造影撮影の実行中であることを表す情報１１０の表示を終了する。上述したように、照射指示信号の停止後、予め定められた時間が経過するとマンモグラフィ装置１０による造影撮影が中断される。そこで、コンソール６は、造影撮影の実行中であることを表す情報１１０の表示を終了する。
【００９０】
さらに、図１１に示すようにステップＳ２１７で制御部７０は、上記ステップＳ２０３で表示部７８に表示させた造影撮影の実行中であることを表す情報１１０の表示を終了する。上述したように、マンモグラフィ装置１０による造影撮影が完了するとステップＳ２１６の判定が肯定判定となる。そこで、コンソール６は、造影撮影の実行中であることを表す情報１１０の表示を終了する。
【００９１】
このように、本実施形態のコンソール６は、マンモグラフィ装置１０において造影撮影が開始されてから完了または中断するまでの間、造影撮影の実行中であることを表す情報１１０を表示部７８に表示させる。
【００９２】
これにより、マンモグラフィ装置１０が造影撮影を実行していることをユーザが認識しやすくなるため、造影撮影を中断しないにもかかわらず、照射指示装置５０のボタン５２の押下をユーザが止めてしまうことを抑制することができる。
【００９３】
［第３実施形態］
以下、第３実施形態について詳細に説明する。
放射線画像撮影システム１の全体構成と、コンソール６、マンモグラフィ装置１０、及び照射指示装置５０各々の構成とは、第１実施形態と同様であるため、説明を省略する。なお、本実施形態のコンソール６の制御部７０が、本開示の受付部の一例として機能する。
【００９４】
また、マンモグラフィ装置１０の制御部６０が実行する造影撮影処理も第１実施形態のマンモグラフィ装置１０の制御部６０が実行する造影撮影処理（図５参照）と同様であるため説明を省略する。本実施形態では、コンソール６の制御部７０が実行する制御処理の一部の処理が第１実施形態のコンソール６の制御部７０が実行する制御処理（図６参照）と異なるため、異なる処理について説明する。
【００９５】
図１３には、本実施形態のコンソール６の制御部７０によって実行される制御処理の流れの一例を表したフローチャートが示されている。図１３に示した制御処理は、ステップＳ２０８で否定判定となった場合にステップＳ２１０の前にステップＳ２０９の処理を実行する点で第１実施形態の制御処理（図６参照）と異なっている。
【００９６】
また、本実施形態では、ステップＳ２０６で制御部７０が、造影撮影を中断することへの警告を表す情報１００と共に表示部７８に表示させる情報の一部が第１実施形態において図７を参照して説明した態様と異なっている。図１４には、本実施形態における表示部７８に表示された上記警告を表す情報の表示の一例を示す。図１４に示した例では、図７に示した警告を表す情報１００、造影撮影の中断までの残り時間を表す情報１０２、及び中断せず造影撮影を継続する場合の対応方法を表す情報１０４に加えて、さらに中断する場合の対応方法を表す情報１２０及び中断指示ボタン１２２を表示部７８に表示させた状態を示している。
【００９７】
本実施形態では、中断する場合の対応方法を表す情報１２０に示される通り、ユーザが表示部７８に表示されている中断指示ボタン１２２を操作部８２により操作（押下）することにより、予め定められた時間に達する前に、直ぐに造影撮影を中断させることができる。
【００９８】
そこで、図１３に示すように、ステップＳ２０９で制御部７０は、中断指示ボタン１２２がユーザにより押下されたか否かを判定する。中断指示ボタン１２２が押下されない場合、ステップＳ２０９の判定が否定判定となり、ステップＳ２１０へ移行する。一方、中断指示ボタン１２２が押下された場合、ステップＳ２０９の判定が肯定判定となり、ステップＳ２１２へ移行する。
【００９９】
このように、本実施形態のコンソール６では、ユーザが照射指示装置５０のボタン５２の押下を止めた後、表示部７８に表示された中断指示ボタン１２２を操作することにより、予め定められた時間が経過する前に、直ぐに造影撮影を中断することができる。これにより、ユーザが誤って照射指示装置５０のボタン５２の押下を止めたのではなく、真に造影撮影を中断させたい場合は、直ぐに造影撮影を中断することができる。
【０１００】
以上説明したように、上記各実施形態の放射線画像撮影システム１は、ユーザの操作に応じて照射指示信号を出力する照射指示装置５０と、造影剤が投与された状態の乳房を圧迫板２０により圧迫し、照射指示信号に応じて第１のエネルギーの放射線Ｒを放射線源２９から乳房に照射させて放射線検出器１１により第１放射線画像を生成する第１の撮影、及び第１のエネルギーと異なる第２のエネルギーの放射線Ｒを放射線源２９から乳房に照射させて放射線検出器１１により第２放射線画像を生成する第２の撮影を連続して行う造影撮影を行うマンモグラフィ装置１０と、第１の撮影の開始後、第２の撮影が完了する前に、照射指示信号が停止した場合に、予め定められた警告を表す情報１００を表示部７８に表示させる制御を行うコンソール６と、を備える。
【０１０１】
上記各実施形態の放射線画像撮影システム１では、このように造影撮影の実行中に照射指示信号が停止した場合、コンソール６が造影撮影が中断されることへの警告を表す情報１００を表示部７８に表示させるため、誤って、照射指示装置５０のボタン５２の押下をユーザが止めた場合でも、造影撮影を中断させることなく継続させることができる。
【０１０２】
従って、上記各実施形態の放射線画像撮影システム１では、再撮影を抑制することができるため、造影撮影における被検者の負担を軽減することができる。
【０１０３】
なお、上記各実施形態では、コンソール６の制御部７０が照射指示信号の停止に応じて、警告を表す情報１００を表示する処理を行う形態について説明したが、コンソール６の制御部７０に替わり、マンモグラフィ装置１０等、他の装置が上記処理を行う形態であってもよい。なお、その他、上記各実施形態において説明したマンモグラフィ装置１０の制御部６０が行う造影撮影処理に含まれる各処理、及びコンソール６が行う制御処理に含まれる各処理についても他の装置が行う形態であってもよい。
【０１０４】
また、上記各実施形態では、警告を表す情報１００をコンソール６の表示部７８に表示する形態について説明したが、警告を表す情報１００の表示内容、表示方法、及び表示場所は特に限定されず、照射指示装置５０のボタン５２を押下するユーザに認識しやすい方法及び場所であればよい。例えば、音声により表示してもよいし、マンモグラフィ装置１０に設けられたＬＥＤ（Light Emitting Diode）を点滅または点灯させることにより警告を行ってもよい。
【０１０５】
また、上記各実施形態でＣＰＵがソフトウェア（プログラム）を実行することにより実行した造影撮影処理及び制御処理を、ＣＰＵ以外の各種のプロセッサが実行してもよい。この場合のプロセッサとしては、ＦＰＧＡ（field-programmable gate array）等の製造後に回路構成を変更可能なＰＬＤ（Programmable Logic Device）、及びＡＳＩＣ（Application Specific Integrated Circuit）等の特定の処理を実行させるために専用に設計された回路構成を有するプロセッサである専用電気回路等が例示される。また、造影撮影処理及び制御処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である。
【０１０６】
また、上記各実施形態では、マンモグラフィ装置１０の制御部６０及びコンソール６の制御部７０に格納される各種プログラムは、予め制御部６０及び制御部７０のＲＯＭ（６０Ｂ、７０Ｂ）に予め記憶（インストール）されている態様を説明したが、これに限定されない。造影撮影処理プログラム及び制御処理プログラムは、ＣＤ−ＲＯＭ（Compact Disk Read Only Memory）、ＤＶＤ−ＲＯＭ（Digital Versatile Disk Read Only Memory）、及びＵＳＢ（Universal Serial Bus）メモリ等の記録媒体に記録された形態で提供されてもよい。また、造影撮影処理プログラム及び制御処理プログラムは、ネットワークを介して外部装置からダウンロードされる形態としてもよい。
【０１０７】
その他、上記各実施形態で説明した放射線画像撮影システム１、コンソール６、及びマンモグラフィ装置１０等の構成及び動作等は一例であり、本発明の主旨を逸脱しない範囲内において状況に応じて変更可能であることはいうまでもない。また、上記各実施形態を適宜組み合わせてもよいこともいうまでもない。
２０１７年７月２７日出願の日本国特許出願２０１７−１４５８４８号の開示は、その全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書中に取り込まれる。
【符号の説明】
【０１０８】
１  放射線画像撮影システム
６  コンソール
１０  マンモグラフィ装置
１１  放射線検出器、１１Ａ  検出面
１２  撮影部
１４  基台部
１６  撮影台
１８  保持部
２０  圧迫板
２１  圧迫板駆動部
２２  支持部
２４  撮影面
２６  支持アーム
２８  放射線照射部
２９  放射線源
４２  Ｒｈフィルタ
４４  Ｃｕフィルタ
５０  照射指示装置
５２  ボタン
５４  Ｉ／Ｆ部
５６  把持部
６０、７０  制御部
６０Ａ、７０Ａ  ＣＰＵ
６０Ｂ、７０Ｂ  ＲＯＭ
６０Ｃ、７０Ｃ  ＲＡＭ
６２、７２  記憶部
６４、７４  Ｉ／Ｆ部
６６  操作パネル
６８  線源駆動部
６９、８３  バス
７６  表示部駆動部
７８  表示部
８０  操作入力検出部
８２  操作部
１００、１０２、１０４、１０６、１０８、１１０、１２０、情報
１２２  中断指示ボタン
Ｒ  放射線
【図１】
2019022246.tif 000003
【図２】
2019022246.tif 000004
【図３】
2019022246.tif 000005
【図４】
2019022246.tif 000006
【図５】
2019022246.tif 000007
【図６】
2019022246.tif 000008
【図７】
2019022246.tif 000009
【図８】
2019022246.tif 000010
【図９】
2019022246.tif 000011
【図１０】
2019022246.tif 000012
【図１１】
2019022246.tif 000013
【図１２】
2019022246.tif 000014
【図１３】
2019022246.tif 000015
【図１４】
2019022246.tif 000016
【国際調査報告】
2019022246.tif 000017
2019022246.tif 000018
2019022246.tif 000019
2019022246.tif 000020